(57)【要約】【課題】高所作業による危険を回避して安全に設置作業ができ、しかも作業費用を廉価にできる人工漁礁を提供する。【解決手段】全体が水の比重より大きく、垂直方向に伸びる柱部材１１を有する重量部１３と、柱部材１１が挿通するガイド部材１１ａを有し、重量部１３の上に被さって載置される浮力部１４とを備え、しかも、重量部１３と浮力部１４を総合した全体の比重が水の比重より大きく、柱部材１１の上部には、ストッパー２６が設けられて、全体を水中に入れて施工し、水中に浮き上がった浮力部１４を所定の上昇位置で止める。【選択図】　　　　図１
2004016138.tif 000002
【特許請求の範囲】
【請求項１】
全体が水の比重より大きく、垂直方向に伸びる柱部材を有する重量部と、
前記柱部材が挿通するガイド部材を有し、前記重量部の上に被さって載置される浮力部とを備え、
しかも、前記重量部と前記浮力部を総合した全体の比重が水の比重より大きく、前記柱部材の上部には、ストッパーが設けられて、全体を水中に入れて施工し、水中に浮き上がった前記浮力部を所定の上昇位置で止めることを特徴とする人工漁礁。
【請求項２】
請求項１記載の人工漁礁において、前記柱部材の上部には、前記ストッパーによって上昇移動を阻止された前記浮力部が下がるのを防止する受け部材が設けられていることを特徴とする人工漁礁。
【請求項３】
請求項２記載の人工漁礁において、前記受け部材は外側に向かって開閉可能に設けられ、前記浮力部が前記柱部材を上昇移動する場合には閉じて、前記浮力部が前記柱部材を通過して前記ストッパーの位置まで上昇した場合には開いて前記浮力部の荷重を支持することを特徴とする人工漁礁。
【請求項４】
請求項１〜３のいずれか１項に記載の人工漁礁において、前記浮力部はその主要部が、内部が空間となった金属製パイプを使用したパイプ構造体によって構成されていることを特徴とする人工漁礁。
【請求項５】
請求項１〜４のいずれか１項に記載の人工漁礁において、前記重量部は、金属部材によって全体を構成し、併せてコンクリートも使用されていることを特徴とする人工漁礁。
【請求項６】
請求項１〜５のいずれか１項に記載の人工漁礁において、前記ガイド部材は複数あって、該各ガイド部材の長さは、前記浮力部の高さの０．６〜１．５倍の範囲にあることを特徴とする人工漁礁。
【請求項７】
請求項１〜６のいずれか１項に記載の人工漁礁において、前記重量部及び前記浮力部には中央に空間部が設けられていることを特徴とする人工漁礁。
【請求項８】
請求項７記載の人工漁礁において、前記重量部及び前記浮力部には周囲からの水の流れを上向き流に変えるガイド板が設けられていることを特徴とする人工漁礁。
【請求項９】
請求項１〜８のいずれか１項に記載の人工漁礁において、前記柱部材には廃棄された電柱を使用することを特徴とする人工漁礁。
【発明の詳細な説明】
【０００１】
【発明の属する技術分野】
本発明は、魚が集まる習性を利用して海底に設置される人工漁礁に関する。
【０００２】
【従来の技術】
従来、魚類等の水生生物の生育を図る目的で、人工漁礁が使用されている。人工漁礁は、海底から突出した部分に魚が集まる習性を利用して、廃船やコンクリートブロック、その他の資材（鉄骨枠等）を海底に沈めて人工的に作った海底の隆起部である。人工漁礁は岸壁近くの陸上で製作され、組立てられ、クレーンを備えた作業船により所定の設置場所に輸送し、クレーンにより吊り下げて海底に投入される。最近の人工漁礁は、軽量で、耐波抵抗のある材質や、魚の集まりやすい形状のものが研究開発されており、投入規模も年々大型化する傾向にある。
【０００３】
【発明が解決しようとする課題】
しかしながら、前記従来の人工漁礁においては、未だ解決すべき以下のような問題があった。
大型化に伴って、人工漁礁の高さが３０〜４０ｍとなるので、陸上での製作、組立が高所作業となり危険を伴い、また、海底に設置する場合にも、波による作業船の揺れのために、特に、高所作業となるクレーンの玉掛け作業が不安定で極めて危険な作業であった。さらに、クレーンの吊り上げ高さが大きいため作業船の能力が大きなものが必要となり、作業費用が高くかかった。
【０００４】
本発明はこのような事情に鑑みてなされたもので、高所作業による危険を回避して安全に設置作業ができ、しかも作業費用を廉価にできる人工漁礁を提供することを目的とする。
【０００５】
【課題を解決するための手段】
前記目的に沿う本発明に係る人工漁礁は、全体が水の比重より大きく、垂直方向に伸びる柱部材を有する重量部と、柱部材が挿通するガイド部材を有し、重量部の上に被さって載置される浮力部とを備え、しかも、重量部と浮力部を総合した全体の比重が水の比重より大きく、柱部材の上部には、ストッパーが設けられて、全体を水中に入れて施工し、水中に浮き上がった浮力部を所定の上昇位置で止める。これによって、上に被さって浮力部が載置された重量部をクレーン等の揚重機で玉掛けしようとする際の高さは、概略浮力部の高さ程度となり、従来に比較して半分程度以下に低くなる。
【０００６】
本発明に係る人工漁礁において、柱部材の上部には、ストッパーによって上昇移動を阻止された浮力部が下がるのを防止する受け部材を設けることもできる。これによって、腐食等により浮力部に海水が侵入して浮力が作用しなくなって、下降しようとしても受け部材により浮力部の下降を防止することができる。
本発明に係る人工漁礁において、受け部材は外側に向かって開閉可能に設けられ、浮力部が柱部材を上昇移動する場合には閉じて、浮力部が柱部材を通過してストッパーの位置まで上昇した場合には開いて浮力部の荷重を支持するように構成することもできる。これによって、受け部材を水中で取付けなくてもよい。
【０００７】
本発明に係る人工漁礁において、浮力部はその主要部を、内部が空間となった金属製パイプを使用したパイプ構造体によって構成することもできる。これによって、浮力部の浮力の調整が容易にできる。
本発明に係る人工漁礁において、重量部は、金属部材によって全体を構成し、併せてコンクリートも使用することができる。これによって、必要な大きさ（容積）で、かつ所要の比重を確保することが容易にできる。
本発明に係る人工漁礁において、ガイド部材は複数あって、各ガイド部材の長さは、浮力部の高さの０．６〜１．５倍の範囲にすることもできる。これによって、浮力部を魚の集まり易い形状にできる。ここで、ガイド部材の長さを浮力部の高さの０．６未満としたり、又は１．５倍を超えるようにすると、水の循環がうまくいかず、浮力部は魚の集まり難い形状となる。
【０００８】
本発明に係る人工漁礁において、重量部及び浮力部には中央に空間部を設けることもできる。これによって、海水の循環量が増え、この結果、多くの魚を集めることができる。
本発明に係る人工漁礁において、重量部及び浮力部には周囲からの水の流れを上向き流に変えるガイド板を設けることもできる。これによって、海水の循環がさらに効果的に行われ、この結果、さらに多くの魚を集めることができる。
本発明に係る人工漁礁において、柱部材には廃棄された電柱を使用することもできる。これによって、柱部材の製作費を低減でき、かつ、処分に困っている廃棄された電柱の処分ができる。
【０００９】
【発明の実施の形態】
続いて、添付した図面を参照しつつ、本発明を具体化した実施の形態につき説明し、本発明の理解に供する。
ここに、図１は本発明の一実施の形態に係る人工漁礁の正面図、図２は同人工漁礁の平面図、図３は図１のａ部拡大図である。
図１及び図２に示すように、本発明の一実施の形態に係る人工漁礁１０は、垂直方向に伸びる柱部材の一例である外側柱部材１１（８本）及び内側柱部材１２（８本）を有し、全体の比重が水の比重より大きい重量部１３と、外側柱部材１１が挿通する複数のガイド部材１１ａを有し、重量部１３の上に被さって載置される浮力部１４とを備えている。以下、これらについて詳しく説明する。
【００１０】
図１及び図２に示すように、重量部１３の下部には、金属部材からなり、内部にコンクリートを充填でき、しかも一側面を介して互いに溶接により連結可能な、外形が立法体形状の複数（本実施の形態では５２個）の枠体１５（長さＳ×幅Ｓ×高さｈ）が平面状に配置されており、配置された枠体１５全体の外形が平面視して正方形状に、しかも内側（中央）には変形された円状の空間部１６が形成されている。
【００１１】
図１及び図２において、枠体１５は比重を調整するため、主として薄肉（３〜６ｍｍ厚さ）の鉄板等で構成されている。複数の枠体１５により平面状に形成された内側で、しかも周方向に所定の間隔を開けて配置された斜線で示す枠体１５内には、８本の廃棄された鉄筋入りのＰＣコンクリート製の電柱からなる内側柱部材１２の下端部が挿入されている。内側柱部材１２の下端部が挿入された枠体１５内には、コンクリートが充填されて内側柱部材１２が枠体１５に固定されている。また、複数の枠体１５により平面状に形成された外側（正方形の４辺側）には、図２に示すように、内側柱部材１２と同様、周方向に所定の間隔を開けて配置された斜線で示す枠体１５内に、８本の廃棄された鉄筋入りのＰＣコンクリート製の電柱からなる外側柱部材１１の下端部が挿入され、同様にコンクリートが充填されて外側柱部材１１が枠体１５に固定されている。なお、枠体１５の底面１５ａは海底面に接するようになっている。
【００１２】
図１及び図２に示すように、８本の内側柱部材１２のうち、前後、左右それぞれの一対の２本の内側柱部材１２の内側には、高さ方向に所定の間隔を開けて８枚の長尺板状（長さＴ×幅Ｗ）のガイド板１７が設けられている。ガイド板１７の厚さは３〜６ｍｍ程度であり、上下のガイド板１７間を介して周囲からの水の流れを上向き流に変えることができ、これによって、プランクトンが循環し易いように、海水の循環を活発にして、魚が集まり易くしている。
【００１３】
図１及び図２に示すように、浮力部１４はその主要部が、内部が空間となった多数の密閉式の金属製パイプを使用したパイプ構造体１８によって構成されている。浮力式のパイプ構造体１８は内側に空間部を備え、外形が直方体状（長さＬ×幅Ｌ×高さＨ）に形成され、前後、左右及び上下方向に配置された大パイプ１９はガイド部材１１ａと同じ材料からなり、一例として外形２００ｍｍ×２００ｍｍで、肉厚４．５ｍｍ程度の角パイプを使用している。またブレース材として斜めに配置された小パイプ２０は、一例として外形５０ｍｍ×５０ｍｍで、肉厚４．５ｍｍ程度の角パイプを使用している。
【００１４】
図１の二点鎖線で示すように、パイプ構造体１８（浮力部１４）は、海水に投入される前には、重量部１３の枠体１５上に載置され、８本の外側柱部材１１の内側面がガイド部材１１ａの外側面にガイドされた状態で挿通されており（正確には、４隅の４本の外側柱部材１１はガイド部材１１ａの２面に、その他の４本の外側柱部材１１はガイド部材１１ａの１面にガイドされている）、海水に投入されると浮力の作用によってパイプ構造体１８は枠体１５から離れて、８本の外側柱部材１１にガイドされた状態で重量部１３に対して相対的に上昇することになる。
【００１５】
各ガイド部材１１ａの長さＬは浮力部１４の高さＨの０．６〜１．５倍の範囲にあるようにしている。図１に示すように、浮力部１４の外縁部近傍には、上下方向に所定の間隔を開けて８段に配置され、傾斜したガイド板２１（幅ｔ、傾斜角α＝１５〜４５°）が設けられており、各ガイド板２１は溶接又は締結部材によりパイプ構造体１８に固定されている。この複数の外側に向かって下側に傾斜したガイド板２１により、浮力部１４の周囲からの水の流れを上向き流に変えることができる。なお、重量部１３と浮力部１４を総合した全体の比重が、海水の比重より大きくなるように設定されている。一例として、重量部１３の比重を２．０〜３．０とし、浮力部１４の比重を０．７〜０．８とし、総合した全体の比重を１．４〜２．０とすることができる。
【００１６】
図３に示すように、外側柱部材１１の上部には、ストッパー取付用キャップ２２が２組のボルト２３により固定されている。ストッパー取付用キャップ２２は、パイプ構造体１８が外側柱部材１１を相対的に上昇する際に支障がないように、下端部の外側が中心方向に傾斜して形成された傾斜ガイド面２４を備えたパイプ状の取付部２５と、取付部２５の上端に一体的に取付けられた円板状のストッパー２６とを有している。海底に設置され浮力部１４が水中に浮き上がった状態では、ストッパー２６の内側（図３では右側）の外周部の下面２７が最下段のガイド部材１１ａの上面２８に当接することにより、浮力部１４のそれ以上の上昇移動は阻止されるようになっている。
【００１７】
腐食等の何らかの原因により、密閉構造のパイプ構造体１８の金属製パイプの内部に海水が侵入して浮力部１４に浮力が作用しなくなって、浮力部１４が下降するのを防止するために、ストッパー取付用キャップ２２の下端部には、最下段のガイド部材１１ａの下面２９を支持可能な受け部材３０が設けられている。少し湾曲した形状に形成された受け部材３０の下端部は、ストッパー取付用キャップ２２の取付部２５の下端部にピン３１を介して取付けられており、しかも、受け部材３０の上端部には、外側柱部材１１の外周面３２との間にバネ３３が嵌装されている。従って、受け部材３０はストッパー取付用キャップ２２の外側に向かって、バネ３３を介して、開閉可能に設けられていることになる。
【００１８】
受け部材３０はバネ３３を介してピン３１の廻りに時計方向に常時付勢されており、図３に示す位置にある。４隅の４本の外側柱部材１１にはさらに、図３に破線で示す位置、即ち、取付部２５の周方向に９０°離れた位置にも同様の受け部材３０が設けられている。その他の４本の外側柱部材１１には、図３に実線で示す位置に１個の受け部材３０を有している。
【００１９】
かかる構成によって、実際の海中に沈める際に、浮力部１４が浮力により一定の海面レベルにあり、重量部１３が下降すると、浮力部１４が相対的に外側柱部材１１に沿って上昇移動することになり、この場合には受け部材３０は閉じ（ピン３１の廻りを外側柱部材１１の軸心側に移動し）、一方、浮力部１４がストッパー２６の位置付近まで相対的に上昇した場合には、受け部材３０は開いて（ピン３１の廻りを外側柱部材１１の軸心側と反対側に移動し）、受け部材３０の上端位置３４にて浮力部１４の荷重を支持することができる。
【００２０】
次いで、本発明の一実施の形態に係る人工漁礁１０の使用方法及び作用について、図を参照しながら説明する。
（１）図１及び図２に示すように、陸上で外側柱部材１１及びガイド板１７が取付けられた内側柱部材１２を備えた重量部１３と、ガイド板２１が取付けられた浮力部１４とを別々に製作した後、岸壁で重量部１３の多数の枠体１５上に浮力部１４を載置する。この際、浮力部１４は図１の破線で示す位置にある。
（２）重量部１３の８本の外側柱部材１１の上端部に、受け部材３０を設けたストッパー取付用キャップ２２を固定する。
【００２１】
（３）浮力部１４が載置された重量部１３を岸壁クレーン、又はチャーターしたクレーンを備えた作業船のクレーンを介して、作業船上に船積みする。この際、玉掛けしようとする状態の高さは、（浮力部１４の高さＨ＋枠体１５の高さｈ）程度となり、従来に比較して半分程度に低くなるので、浮力部１４及び重量部１３の内側の広い空間部を利用して重量部１３の玉掛け作業及び玉外し作業が容易に、安全にできる。
（４）作業船により所定の設置場所に輸送し、重量部１３を玉掛けした後、クレーンにより吊り下げて海中にゆっくりと沈める。
（５）海中に沈める際、重量部１３はクレーンの下降操作に応じて下降するが、浮力部１４は、図３に示すように、最下段のガイド部材１１ａが重量部１３の外側柱部材１１に設けられた受け部材３０に当接するまでは、浮力部１４の自重と海水による浮力とのバランスにより、浮力部１４の高さＨの０．７〜０．８が沈んだ状態を維持する。
【００２２】
（６）図３に示すように、外側柱部材１１が下降することによって、最下段のガイド部材１１ａが相対的に受け部材３０の下方から上方に移動する際、受け部材３０が浮力部１４のパイプ構造体１８の最下段のガイド部材１１ａとの当接により開閉（正確には、開から閉、さらに閉から開）して、図３に示す状態になる。
（７）さらに、重量部１３を沈めると浮力部１４（即ち、パイプ構造体１８の最下段のガイド部材１１ａ）は上昇して、最終的にストッパー２６に当接し、所定の上昇位置で止まる。
（８）浮力部１４がストッパー２６に当接した状態で、さらに、クレーンを操作して重量部１３を下降させると、浮力部１４は海面下に沈むまでは次第に大きな浮力を受けながら、重量部１３と一体となって下降する。
【００２３】
（９）さらに、浮力部１４が海面下に沈んだ後は、浮力部１４は一定の浮力を受けながら、重量部１３と共に、枠体１５が海底に接触するまで下降する。
重量部１３が海底に到達し、浮力部１４がストッパー２６により上昇移動が阻止された状態で人工漁礁１０は使用されて、所要の機能を発揮する。特に、重量部１３の内側柱部材１２の内側に取付けられたガイド板１７と、浮力部１４の外周部付近に多段に設けられたガイド板２１とにより、重量部１３、浮力部１４の周囲からの水の流れを上向き流に変えることができる。海水の循環を活発にでき、この結果、魚が集まり易くなる。また、海水による浮力部１４のパイプ構造体１８の腐食により浮力部１４の浮力が無くなって、浮力部１４が下降しても、浮力部１４の最下段のガイド部材１１ａを直下の受け部材３０で支持することができるので、前記の効果はそのまま維持できる。
【００２４】
本発明は前記した実施の形態に限定されるものではなく、本発明の要旨を変更しない範囲での変更は可能であり、例えば、前記したそれぞれの実施の形態や変形例の一部又は全部を組み合わせて本発明の人工漁礁を構成する場合にも本発明は適用される。
前記実施の形態においては、重量部１３の外側柱部材１１の上部には、ストッパー２６によって上昇移動を阻止された浮力部１４が、落下するのを防止する受け部材３０を設けたが、これに限定されず、必要に応じて、受け部材３０を省略することもできる。また、受け部材３０を開閉可能に設け、浮力部１４が上昇移動する場合には閉じ、浮力部１４が外側柱部材１１を通過してストッパー２６の位置近傍まで上昇した場合には開いて浮力部１４の荷重を支持するように構成したが、これに限定されず、状況に応じて、海底に設置してストッパー２６により浮力部１４の上昇移動を阻止した状態で、固定式の受け部材を浮力部１４直下の外側柱部材１１に取付けることもできる。この場合には、水中での取付作業となる。
【００２５】
浮力部１４はその主要部が、ガイド部材１１ａを含み、内部が空間となった金属製の大、小パイプ１９、２０を使用したパイプ構造体１８によって構成したが、これに限定されず、重量部１３の外側柱部材１１が挿通するその他の構造のガイド部材を有し、しかも、重量部の上に被さって載置される浮力部を備えていれば、どのような構造、材質のものであっても構わない。
重量部１３において、主として鉄板等で形成された枠体１５を複数個連結して構成し、併せて、外側柱部材１１及び内側柱部材１２の下端部を枠体１５内で固定するコンクリートを使用したが、これに限定されず、重量部と浮力部を総合した全体の比重が水より大きくなるようにしていれば、その他の材料、構造とすることもできる。また、外側柱部材１１及び内側柱部材１２を設けない枠体１５内にも比重の調整のために、コンクリートを充填することもできる。
【００２６】
ガイド部材１１ａとして角パイプを複数設け、角パイプの長さＬを浮力部１４の高さＨの０．６〜１．５倍の範囲としたが、これに限定されず、その範囲外の長さとすることもできる。
重量部１３及び浮力部１４には中央（内側）に空間部を設けたが、これに限定されず、必要に応じて、空間部を省略することもできる。
重量部１３、浮力部１４にはそれぞれ、周囲からの水の流れを上向き流に変えるガイド板１７、２１を設けたが、これに限定されず、状況に応じて、ガイド板を設けなくても構わない。
外側柱部材１１及び内側柱部材１２として、廃棄された電柱を使用したが、これに限定されず、その他の材料（例えば、鋼管、Ｈ形鋼等）を使用することもできる。また、外側柱部材１１、内側柱部材１２共、８本使用したが、これに限定されず、７本以下又は９本以上とすることもできる。
【００２７】
【発明の効果】
請求項１〜９記載の人工漁礁においては、玉掛けしようとする際の高さは従来に比較して半分程度以下に低くなるので、浮力部を載置した重量部の玉掛け作業及び玉外し作業が極めて容易に、かつ安全にできる。
特に、請求項２記載の人工漁礁においては、例えば、腐食等により浮力部に海水が侵入して浮力が作用しなくなって、下降しようとしても受け部材により浮力部の下降を防止することができるので、依然人工漁礁の機能を維持することができる。
請求項３記載の人工漁礁においては、受け部材を水中で取付けなくてもよいので、取付作業が簡略化される。
請求項４記載の人工漁礁においては、浮力部の浮力の調整が容易にできるので、使い勝手がよい。
【００２８】
請求項５記載の人工漁礁においては、必要な容積で、かつ所要の比重を確保することが容易にできるので、効率よく製作ができる。
請求項６記載の人工漁礁においては、浮力部を魚の集まり易い形状にできるので、生産効率が向上する。
請求項７記載の人工漁礁においては、海水の循環が効果的に行われ、この結果、多くの魚を集めることができるので、生産性がさらに向上する。
請求項８記載の人工漁礁においては、海水の循環がさらに効果的に行われ、この結果、さらに多くの魚を集めることができるので、生産性が非常に向上する。
請求項９記載の人工漁礁においては、柱部材の製作費を低減でき、かつ、処分に困っている廃棄された電柱の有効利用ができるので、極めて経済的である。
【図面の簡単な説明】
【図１】本発明の一実施の形態に係る人工漁礁の正面図である。
【図２】同人工漁礁の平面図である。
【図３】図１のａ部拡大図である。
【符号の説明】
１０：人工漁礁、１１：外側柱部材（柱部材）、１１ａ：ガイド部材、１２：内側柱部材（柱部材）、１３：重量部、１４：浮力部、１５：枠体、１５ａ：底面、１６：空間部、１７：ガイド板、１８：パイプ構造体、１９：大パイプ、２０：小パイプ、２１：ガイド板、２２：ストッパー取付用キャップ、２３：ボルト、２４：傾斜ガイド面、２５：取付部、２６：ストッパー、２７：下面、２８：上面、２９：下面、３０：受け部材、３１：ピン、３２：外周面、３３：バネ、３４：上端位置
【図１】
2004016138.tif 000003
【図２】
2004016138.tif 000004
【図３】
2004016138.tif 000005